(57)【要約】      （修正有）【課題】  電池パックの模造を抑制する電池パック認証システムを提供する。【解決手段】電池パック１には、各電池パックごとに異なるユニークな情報が格納されており、電子機器２は、装着された電池パックから取得した情報をサーバ５へ送信し、電池パックの充放電を行うマイコン２２を有し、サーバは電池パックのユニークな情報を蓄積する第１の蓄積手段と、電子機器から受信した情報を蓄積する第２の蓄積手段と、電子機器２から新たに受信した情報が第１の蓄積手段に蓄積されている情報と一致するか否かを判断する手段と、電子機器から新たに受信した情報と一致する情報が、第２の蓄積手段に既に蓄積されているか否かを判断する判断手段と、電子機器から新たに取得した情報が、第１の蓄積手段に蓄積されている情報と一致するか否か、及び、該情報が第２の蓄積手段に蓄積されているか否かに応じて、電池パックの使用の可否を電子機器に通知する手段とを有する。【選択図】  図１
2006331815.tif 000002
【特許請求の範囲】
【請求項１】
通信機能を備えた電子機器とサーバとがネットワークを介して接続された電池パック認証システムであって、
前記電子機器に着脱可能に装着される電池パックには、各電池パックごとに異なるユニークな情報が格納されており、
前記電子機器は、
装着された電池パックから前記ユニークな情報を取得する手段と、
該電池パックから取得したユニークな情報を前記サーバへ送信する手段と、
前記サーバからの許可通知に応じて、前記電池パックへの充電及び該電池パックに蓄積されている電力の利用を行う制御手段とを有し、
前記サーバは、
前記電子機器に装着されうる全ての電池パックのユニークな情報を蓄積する第１の蓄積手段と、
前記電子機器から受信した情報を蓄積する第２の蓄積手段と、
前記電子機器から新たに受信した情報が前記第１の蓄積手段に蓄積されているいずれかの情報と一致するか否かを判断する手段と、
前記電子機器から新たに受信した情報と一致する情報が、前記第２の蓄積手段に既に蓄積されているか否かを判断する判断手段と、
前記電子機器から新たに取得したユニークな情報が、前記第１の蓄積手段に蓄積されているいずれかの情報と一致するか否か、及び、該情報が前記第２の蓄積手段に蓄積されているか否かに応じて、前記電池パックの使用の可否を前記電子機器に通知する手段とを有することを特徴とする電池パック認証システム。
【請求項２】
前記サーバは、前記電子機器から新たに取得したユニークな情報が、前記第１の蓄積手段に蓄積されているいずれかの情報と一致し、かつ、前記第２の蓄積手段に未だ蓄積されていない場合に、前記電池パックの使用の許可を前記電子機器に通知することを特徴とする請求項１記載の電池パック認証システム。
【請求項３】
前記電子機器は、前記サーバから前記電池パックの使用を拒否する旨を通知された場合に、その旨を表示する表示手段を有することを特徴とする請求項１又は２記載の電池パック認証システム。
【請求項４】
前記電子機器は、直前に装着されていた電池パックから取得した前記ユニークな情報を記憶する手段と、前記電池パックが装着された際に取得した前記ユニークな情報を前記記憶手段に記憶されている情報と比較する手段とを有し、
前記装着された電池パックから取得したユニークな情報が、前記直前に装着されていた電池パックから取得したユニークな情報と一致する場合には、前記装着された電池パックから取得したユニークな情報を前記サーバへは送信せず、前記制御手段は、前記サーバからの通知を受けることなく前記装着された電池パックへの充電及び該電池パックに蓄積されている電力の利用を行うことを特徴とする請求項１から３のいずれか１項記載の電池パック認証システム。
【請求項５】
前記電子機器は、前記装着された電池パックから取得したユニークな情報が、前記直前に装着されていた電池パックから取得したユニークな情報と一致しない場合には、該電池パックから取得した情報を前記サーバへ送信することを特徴とする請求項４記載の電池パック認証システム。
【請求項６】
前記電子機器と前記サーバとが、無線通信によって接続されたことを特徴とする請求項１から５のいずれか１項記載の電池パック認証システム。
【請求項７】
通信機能を備えた電子機器が着脱可能に装着される電池パックから各電池パックごとに異なるユニークな情報を取得する工程と、
前記電子機器が、前記電池パックから取得したユニークな情報をサーバへ送信する手段と、
前記サーバが、前記電子機器から新たに取得した情報が前記電子機器に装着されうる全ての電池パックのユニークな情報を蓄積する第１の蓄積手段に蓄積されているいずれかの情報と一致するか否かを判断する第１の判断工程と、
前記電子機器から新たに受信した情報と一致する情報が、前記電子機器から取得済みの前記ユニークな情報を蓄積する第２の蓄積手段に蓄積されているか否かを判断する第２の判断工程と、
前記第１及び第２の判断工程における判断結果に応じて、前記電池パックの使用の可否を前記電子機器に通知する工程と、
前記電子機器が、前記サーバからの許可通知に応じて、前記電池パックへの充電及び該電池パックに蓄積されている電力の利用を行う制御工程とを有することを特徴とする電池パックの認証方法。
【請求項８】
前記サーバは、前記電子機器から新たに取得したユニークな情報が前記第１の蓄積手段に蓄積されているいずれかの情報と一致すると前記第１の判断工程において判断し、かつ、前記第２の蓄積手段に未だ蓄積されていないと前記第２の判断工程において判断した場合に、前記電池パックの使用の許可を前記電子機器に通知することを特徴とする請求項７記載の電池パックの認証方法。
【請求項９】
前記サーバから前記電池パックの使用を拒否する旨を通知された前記電子機器が、その旨を表示するエラー表示工程を有することを特徴とする請求項７又は８記載の電池パックの認証方法。
【請求項１０】
前記電子機器は、直前に装着されていた電池パックから取得した前記ユニークな情報を記憶する手段を有し、
前記電池パックが装着された際に取得した前記ユニークな情報を前記記憶手段に記憶されている情報と比較し、前記装着された電池パックから取得したユニークな情報が、前記直前に装着されていた電池パックから取得したユニークな情報と一致する場合には、前記装着された電池パックから取得したユニークな情報を前記サーバへは送信せず、前記制御手段は、前記サーバからの通知を受けることなく前記装着された電池パックへの充電及び該電池パックに蓄積されている電力の利用を行うことを特徴とする請求項７から９のいずれか１項記載の電池パック認証システム。
【請求項１１】
前記電子機器は、前記装着された電池パックから取得したユニークな情報が、前記直前に装着されていた電池パックから取得したユニークな情報と一致しない場合には、該電池パックから取得した情報を前記サーバへ送信することを特徴とする請求項１０記載の電池パックの認証方法。
【請求項１２】
通信機能を備え、ネットワークを介してサーバと接続される電子機器であって、
着脱可能に装着される電池パックに格納されている各電池パックごとに異なるユニークな情報を取得する手段と、
該電池パックから取得したユニークな情報を前記サーバへ送信する手段と、
前記サーバからの許可通知に応じて、前記電池パックへの充電及び該電池パックに蓄積されている電力の利用を行う制御手段とを有することを特徴とする電子機器。
【請求項１３】
前記サーバから前記電池パックの使用を拒否する旨を通知された場合に、その旨を表示する表示手段を有することを特徴とする請求項１２記載の電子機器。
【請求項１４】
直前に装着されていた電池パックから取得した前記ユニークな情報を記憶する手段と、前記電池パックが装着された際に取得した前記ユニークな情報を前記記憶手段に記憶されている情報と比較する手段とを有し、
前記装着された電池パックから取得したユニークな情報が、前記直前に装着されていた電池パックから取得したユニークな情報と一致する場合には、前記装着された電池パックから取得したユニークな情報を前記サーバへは送信せず、前記制御手段は、前記サーバからの通知を受けることなく前記装着された電池パックへの充電及び該電池パックに蓄積されている電力の利用を行うことを特徴とする請求項１２又は１３記載の電子機器。
【請求項１５】
前記装着された電池パックから取得したユニークな情報が、前記直前に装着されていた電池パックから取得したユニークな情報と一致しない場合には、該電池パックから取得した情報を前記サーバへ送信することを特徴とする請求項１４記載の電子機器。
【請求項１６】
通信機能を備えた電子機器にネットワークを介して接続されるサーバであって、
前記電子機器に装着されうる全ての電池パックに格納されている、各電池パックごとに異なるユニークな情報を蓄積する第１の蓄積手段と、
前記電子機器から受信した情報を蓄積する第２の蓄積手段と、
前記電子機器から新たに受信した情報が前記第１の蓄積手段に蓄積されているいずれかの情報と一致するか否かを判断する手段と、
前記電子機器から新たに受信した情報と一致する情報が、前記第２の蓄積手段に既に蓄積されているか否かを判断する判断手段と、
前記電子機器から新たに取得したユニークな情報が、前記第１の蓄積手段に蓄積されているいずれかの情報と一致するか否か、及び、該情報が前記第２の蓄積手段に蓄積されているか否かに応じて、前記電池パックの使用の可否を前記電子機器に通知する手段とを有することを特徴とするサーバ。
【請求項１７】
前記電子機器から新たに取得したユニークな情報が、前記第１の蓄積手段に蓄積されているいずれかの情報と一致し、かつ、前記第２の蓄積手段に未だ蓄積されていない場合に、前記電池パックの使用の許可を前記電子機器に通知することを特徴とする請求項１６記載のサーバ。
【発明の詳細な説明】
【技術分野】
【０００１】
本発明は、携帯用電子機器などに適用される電池パックを認証するための電池パック認証システム及び方法、電子機器並びにサーバに関し、特に、電池パックの模造を抑制する電池パック認証システム及び方法、電子機器並びにサーバに関する。
【背景技術】
【０００２】
携帯電話端末のような携帯用電子機器にとって、電源の確保は最重要の課題である。
【０００３】
商用電源を利用できない環境下で携帯用電子機器を使用する場合、蓄電池を備えた電池パックを装着することが一般的である。
【０００４】
携帯用電子機器の電池パックは、小型化・大容量化が要求されるため、携帯用電子機器ごとに専用の設計であることが多い。
【０００５】
機器に専用の電池パックは、高性能であるが故に高価である。このため、携帯用電子機器の製造メーカとは異なる第三者（サードパーティー）がこれを模造し、販売することが問題となっている。
【０００６】
模造された電池パックは、正規メーカによって製造された純正品よりも容量が小さかったり、携帯機器であるが故の過酷な使用環境に耐えられる性能（耐衝撃性、使用温度など）を備えていないことが多い。
【０００７】
しかも、このような模造電池パックを使用することは、電子機器本体の故障の原因ともなりうる。
【０００８】
このため、正規メーカ以外の者が製造した電池パックを検出する仕組みを設けることが、ユーザ及びメーカの双方から要求されている。
【０００９】
図５に、従来の電池パックの構造を示す。
電池パック１は、電池１１、電池保護制御部１２、スイッチ素子１３、温度検出部１４、マイコン（マイクロコンピュータ）１５、＋端子１６、Ｓ（Signal）端子１７、Ｔ（Temperature）端子１８、−端子１９を有する。
電池保護制御部１２は、電池１１を保護するための機能部である。温度検出部１４は、電池パック１内の温度を検出する。マイコン１５は、情報を蓄積したり電子機器２へ送信したりするための機能部である。＋端子１６、Ｓ端子１７、Ｔ端子１８及び−端子１９は、電子機器２との電気的な接続のための端子である。
【００１０】
電子機器２は、スイッチ素子２１、マイコン２２、回路部２３、＋端子２４、−端子２５、＋端子２６、Ｓ端子２７、Ｔ端子２８及び−端子２９を有する。
マイコン２２は、電池パック１の充電制御や認証するための機能部である。＋端子２６、Ｓ端子２７、Ｔ端子２８及び−端子２９は、電池パック１との電気的な接続のための端子である。＋端子２４及び−端子２５は、電源３との電気的な接続のための端子である。
【００１１】
図６に、従来の電池パックの装着時の動作の流れを示す。
電池パック１が電子機器２に装着されると（ステップＳ１０１）、電子機器２のマイコン２２は、電池パック１に対してデータ要求コマンドを送信する（ステップＳ１０２）。データ要求コマンドを受信した電池パック１１は（ステップＳ１０３）、マイコン１５の記憶部１５３のデータを送信する（ステップＳ１０４）。マイコン２２は、受信したデータを（ステップＳ１０５）記憶部２２４内のデータと照合し、電池パック１を認証する（ステップＳ１０６）。電池パック１の認証に成功すれば（ステップＳ１０６／Ｙｅｓ）、マイコン２２は電池パック認証コマンドを回路部２３に含まれるＣＰＵに送信する（ステップＳ１０７）。マイコン２２は、電池パック認証コマンドに応じて回路部２３に含まれるＣＰＵから送られてきた電池パック充電許可コマンドを受信すると（ステップＳ１０８）電池パック１の充電を開始する（ステップＳ１０９）。
一方、マイコン２２は、電池パック１の認証に失敗した場合には（ステップＳ１０６／Ｎｏ）、電池パック認証失敗コマンドを回路部２３に含まれるＣＰＵへ送信する（ステップＳ１１０）。マイコン２２は、電池パック認証失敗コマンドに応じて回路部２３に含まれるＣＰＵから送られてきた電池パック充電不可コマンドを受信すると（ステップＳ１１１）、回路部２３に含まれる表示装置において電池パック認証失敗を表示する（ステップＳ１１２）。
【００１２】
このような電池パックでは、記憶部１５３のデータが各々の電池パックで共通である。このため、いずれかの電池パックのデータが第三者に解読されると、電池パックの偽造を抑制できなくなってしまう。
しかも、記憶部２２４内のデータを更新できないため、ひとたび電池パックのデータが解読されてしまうと、もはや純正品であるか否かの判別は不可能となる。
【００１３】
このような問題を解決するための従来技術として、特許文献１に開示される「充電システム、携帯電子機器、充電装置及び充電方法、中央管理装置及び中央管理方法」がある。特許文献１に開示される発明は、充電装置のＩＤ読み取り部によってバッテリーパックのデバイスＩＤを読み取り、通信回線を介して中央管理装置へ送信し、ここで一括管理する構成である。
【特許文献１】特開２００４−２２２４５７号公報
【発明の開示】
【発明が解決しようとする課題】
【００１４】
特許文献１に開示される発明は、デバイスＩＤ及びユーザＩＤで認証処理を行い、該当するＩＤが存在しない場合にのみ使用（充電）を不許可とすることが可能である。これは、現在使用されているＩＤ情報が認証処理に利用されていないためである。よって、ＩＤを複製した偽造バッテリは使用可能となってしまう。
【００１５】
このように、特許文献１に開示される発明は、模造電池パックであってもＩＤを偽装することで使用できる、すなわち、模造品の抑制が不十分であるという問題があった。
【００１６】
本発明はかかる問題に鑑みてなされたものであり、電池パックの模造を抑制する電池パック認証システム及び方法、電子機器並びにサーバを提供することを目的とする。
【課題を解決するための手段】
【００１７】
上記目的を達成するため、本発明は、第１の態様として、通信機能を備えた電子機器とサーバとがネットワークを介して接続された電池パック認証システムであって、電子機器に着脱可能に装着される電池パックには、各電池パックごとに異なるユニークな情報が格納されており、電子機器は、装着された電池パックからユニークな情報を取得する手段と、該電池パックから取得したユニークな情報をサーバへ送信する手段と、サーバからの許可通知に応じて、電池パックへの充電及び該電池パックに蓄積されている電力の利用を行う制御手段とを有し、サーバは、電子機器に装着されうる全ての電池パックのユニークな情報を蓄積する第１の蓄積手段と、電子機器から受信した情報を蓄積する第２の蓄積手段と、電子機器から新たに受信した情報が第１の蓄積手段に蓄積されているいずれかの情報と一致するか否かを判断する手段と、電子機器から新たに受信した情報と一致する情報が、第２の蓄積手段に既に蓄積されているか否かを判断する判断手段と、電子機器から新たに取得したユニークな情報が、第１の蓄積手段に蓄積されているいずれかの情報と一致するか否か、及び、該情報が第２の蓄積手段に蓄積されているか否かに応じて、電池パックの使用の可否を電子機器に通知する手段とを有することを特徴とする電池パック認証システムを提供するものである。
【００１８】
本発明の第１の態様においては、サーバは、電子機器から新たに取得したユニークな情報が、第１の蓄積手段に蓄積されているいずれかの情報と一致し、かつ、第２の蓄積手段に未だ蓄積されていない場合に、電池パックの使用の許可を電子機器に通知することが好ましい。また、電子機器は、サーバから電池パックの使用を拒否する旨を通知された場合に、その旨を表示する表示手段を有することが好ましい。また、電子機器は、直前に装着されていた電池パックから取得したユニークな情報を記憶する手段と、電池パックが装着された際に取得したユニークな情報を記憶手段に記憶されている情報と比較する手段とを有し、装着された電池パックから取得したユニークな情報が、直前に装着されていた電池パックから取得したユニークな情報と一致する場合には、装着された電池パックから取得したユニークな情報をサーバへは送信せず、制御手段は、サーバからの通知を受けることなく装着された電池パックへの充電及び該電池パックに蓄積されている電力の利用を行うことが好ましく、これに加えて、電子機器は、装着された電池パックから取得したユニークな情報が、直前に装着されていた電池パックから取得したユニークな情報と一致しない場合には、該電池パックから取得した情報をサーバへ送信することが好ましい。
【００１９】
本発明の第１の態様の上記のいずれの構成においても、電子機器とサーバとが、無線通信によって接続されることが好ましい。
【００２０】
また、上記目的を達成するため、本発明は、第２の態様として、通信機能を備えた電子機器が着脱可能に装着される電池パックから各電池パックごとに異なるユニークな情報を取得する工程と、電子機器が、電池パックから取得したユニークな情報をサーバへ送信する手段と、サーバが、電子機器から新たに取得した情報が電子機器に装着されうる全ての電池パックのユニークな情報を蓄積する第１の蓄積手段に蓄積されているいずれかの情報と一致するか否かを判断する第１の判断工程と、電子機器から新たに受信した情報と一致する情報が、電子機器から取得済みのユニークな情報を蓄積する第２の蓄積手段に蓄積されているか否かを判断する第２の判断工程と、第１及び第２の判断工程における判断結果に応じて、電池パックの使用の可否を電子機器に通知する工程と、電子機器が、サーバからの許可通知に応じて、電池パックへの充電及び該電池パックに蓄積されている電力の利用を行う制御工程とを有することを特徴とする電池パックの認証方法を提供するものである。
【００２１】
本発明の第２の態様においては、サーバは、電子機器から新たに取得したユニークな情報が第１の蓄積手段に蓄積されているいずれかの情報と一致すると第１の判断工程において判断し、かつ、第２の蓄積手段に未だ蓄積されていないと第２の判断工程において判断した場合に、電池パックの使用の許可を電子機器に通知することが好ましい。また、サーバから電池パックの使用を拒否する旨を通知された電子機器が、その旨を表示するエラー表示工程を有することが好ましい。また、電子機器は、直前に装着されていた電池パックから取得したユニークな情報を記憶する手段を有し、電池パックが装着された際に取得したユニークな情報を記憶手段に記憶されている情報と比較し、装着された電池パックから取得したユニークな情報が、直前に装着されていた電池パックから取得したユニークな情報と一致する場合には、装着された電池パックから取得したユニークな情報をサーバへは送信せず、制御手段は、サーバからの通知を受けることなく装着された電池パックへの充電及び該電池パックに蓄積されている電力の利用を行うことが好ましく、これに加えて、電子機器は、装着された電池パックから取得したユニークな情報が、直前に装着されていた電池パックから取得したユニークな情報と一致しない場合には、該電池パックから取得した情報をサーバへ送信することがより好ましい。
【００２２】
また、上記目的を達成するため、本発明は、第３の態様として、通信機能を備え、ネットワークを介してサーバと接続される電子機器であって、着脱可能に装着される電池パックに格納されている各電池パックごとに異なるユニークな情報を取得する手段と、該電池パックから取得したユニークな情報をサーバへ送信する手段と、サーバからの許可通知に応じて、電池パックへの充電及び該電池パックに蓄積されている電力の利用を行う制御手段とを有することを特徴とする電子機器を提供するものである。
【００２３】
本発明の第３の態様においては、サーバから電池パックの使用を拒否する旨を通知された場合に、その旨を表示する表示手段を有することが好ましい。また、直前に装着されていた電池パックから取得したユニークな情報を記憶する手段と、電池パックが装着された際に取得したユニークな情報を記憶手段に記憶されている情報と比較する手段とを有し、装着された電池パックから取得したユニークな情報が、直前に装着されていた電池パックから取得したユニークな情報と一致する場合には、装着された電池パックから取得したユニークな情報をサーバへは送信せず、制御手段は、サーバからの通知を受けることなく装着された電池パックへの充電及び該電池パックに蓄積されている電力の利用を行うことが好ましく、これに加えて、装着された電池パックから取得したユニークな情報が、直前に装着されていた電池パックから取得したユニークな情報と一致しない場合には、該電池パックから取得した情報をサーバへ送信することがより好ましい。
【００２４】
また、上記目的を達成するため、本発明は、第４の態様として、通信機能を備えた電子機器にネットワークを介して接続されるサーバであって、電子機器に装着されうる全ての電池パックに格納されている、各電池パックごとに異なるユニークな情報を蓄積する第１の蓄積手段と、電子機器から受信した情報を蓄積する第２の蓄積手段と、電子機器から新たに受信した情報が第１の蓄積手段に蓄積されているいずれかの情報と一致するか否かを判断する手段と、電子機器から新たに受信した情報と一致する情報が、第２の蓄積手段に既に蓄積されているか否かを判断する判断手段と、電子機器から新たに取得したユニークな情報が、第１の蓄積手段に蓄積されているいずれかの情報と一致するか否か、及び、該情報が第２の蓄積手段に蓄積されているか否かに応じて、電池パックの使用の可否を電子機器に通知する手段とを有することを特徴とするサーバを提供するものである。
【００２５】
本発明の第４の態様においては、電子機器から新たに取得したユニークな情報が、第１の蓄積手段に蓄積されているいずれかの情報と一致し、かつ、第２の蓄積手段に未だ蓄積されていない場合に、電池パックの使用の許可を電子機器に通知することが好ましい。
【発明の効果】
【００２６】
本発明によれば、電池パックの模造を抑制する電池パック認証システム及び方法、電子機器並びにサーバを提供できる。
【発明を実施するための最良の形態】
【００２７】
〔第１の実施形態〕
図１に本実施形態にかかる電池パック認証システムの構成を示す。なお、図５に示した従来の構成と同様の部分については、同じ符号を付して示し重複する説明は省略する。
本実施形態にかかる電池パック認証システムは、電池パック１、電子機器２及び電源３に加え、サーバ５をさらに有する。
電池パック１は、従来のものと同様である。電子機器２は、送受信部３０をさらに有する。送受信部３０は、基地局４と情報を送受信するための機能部である。
サーバ５は、基地局４と接続されている。
【００２８】
図２に、本実施形態にかかる電池パック認証システムの動作の流れを示す。
電池パック１が電子機器２に装着されると（ステップＳ２０１）、マイコン２２はデータ要求コマンドをマイコン１５へ送信する（ステップＳ２０２）。データ要求コマンドを受信したマイコン１５は（ステップＳ２０３）、記憶部１５３内のデータをマイコン２２へ送信する（ステップＳ２０４）。マイコン２２は、マイコン１５から受信した（ステップＳ２０５）データを回路部２３及び送受信部３０を介して、サーバ５へ送信する。サーバ５は、基地局４を介して電子機器２から送られてきたデータを取得する。その後、サーバ５は、自身が蓄積している電池パック生産データに基づいて電池パック１を認証する（ステップＳ２０６）。
電池パック１の認証に成功した場合（ステップＳ２０６／Ｙｅｓ）、サーバ５は、電池パック１のＩＤが既に使用されていないかを確認する（ステップＳ２０７）。他で使用されていないことを確認できれば（ステップＳ２０７／Ｙｅｓ）、サーバ５は、充電許可コマンドを電子機器２へ発信するとともに（ステップＳ２０８）、認証した電池パックのＩＤを自身が備える記憶装置（外付けでも可）に記録する。サーバ５から発せられた充電許可コマンドは、基地局４を介して電子機器２へ送られる。電子機器２が充電許可コマンドを受信すると（ステップＳ２０９）、マイコン２２は電池パック１の充電を開始する（ステップＳ２１０）。
【００２９】
一方、電池パック１の認証に失敗した場合は（ステップＳ２０６／Ｎｏ）、サーバ５は、電池パック充電不許可コマンドを電子機器２へ発信する（ステップＳ２１１）。サーバ５から発せられた電池パック充電不許可コマンドは、基地局４を介して電子機器２へと送られる。電子機器２が充電不許可コマンドを受信すると（ステップＳ２１２）、マイコン２２は、電池パックの認証に失敗したことを示すエラーメッセージを、回路部２３に含まれる不図示の表示装置において表示する（ステップＳ２１３）。
【００３０】
また、電池パック１の認証に成功したものの（ステップＳ２０６／Ｙｅｓ）、そのＩＤが既に使用されている場合には（ステップＳ２０７／Ｎｏ）、電池パック充電不許可コマンドを電子機器２へ発信し（ステップＳ２１２）、上記同様の処理を行う（ステップＳ２１３、Ｓ２１４）。
【００３１】
本実施形態にかかる電池パック認証システムは、何者かが電池パック１の記憶部１５３に記憶されているデータを解析しても、複製できるのは一つだけである。すなわち、電池パックを大量に模造することができなくなる。
【００３２】
また、正規の電池パックの記憶部に記憶されているデータを解析して、それを模造品にコピーしたとしても、正当な電池パックが既に使用状態にあれば模造品は使用できない。よって、ユーザが誤って模造品を使用する可能性が低くなる。
【００３３】
〔第２の実施形態〕
本発明を好適に実施した第２の実施形態について説明する。本実施形態にかかる電池パック認証システムの構成は第１の実施形態と同様である。
本実施形態においては、前回装着時と同一のデータであるか否かを判断することでデータ認証を行うことによって、照合ステップを短縮している。図３及び図４に、本実施形態にかかる電池パック認証システムの動作の流れを示す。
【００３４】
電池パック１が電子機器２に装着されると（ステップＳ３０１）、マイコン２２はデータ要求コマンドをマイコン１５へ送信する（ステップＳ３０２）。データ要求コマンドを受信したマイコン１５は（ステップＳ３０３）、記憶部１５３内のデータをマイコン２２へ送信する（ステップＳ３０４）。マイコン２２は、マイコン１５から受信した（ステップＳ３０５）データを、記憶部２２４のデータと照合し前回装着時と同一データであるか否かを確認する（ステップＳ３０６）。前回装着時と同じデータであれば（ステップＳ３０６／Ｙｅｓ）、マイコン２２は、回路部２３に含まれる不図示のＣＰＵへ電池パック該当コマンドを送信する（ステップＳ３０７）。電池パック該当コマンドを受信した回路部２３に含まれる不図示のＣＰＵは、電池パック充電許可コマンドをマイコン２２へ送信する。マイコン２２は電池パック充電許可コマンドを受信すると（ステップＳ３０８）、これに応じて電池パック１の充電を開始する（ステップＳ３０９）。
【００３５】
前回装着時と同じデータでなければ（ステップＳ３０６／Ｎｏ）、マイコン２２はマイコン１５から取得したデータを回路部２３及び送受信部３０を介して、サーバ５へ送信する（ステップＳ３１０）。サーバ５は、基地局４を介して電子機器２から送られてきたデータを取得する（ステップＳ３１１）。その後、サーバ５は、自身が蓄積している電池パック生産データに基づいて電池パック１を認証する（ステップＳ３１２）。
電池パック１の認証に成功した場合（ステップＳ３１２／Ｙｅｓ）、サーバ５は、電池パック１が他で使用されていないかを確認する（ステップＳ３１３）。他で使用されていないことを確認できれば（ステップＳ３１３／Ｙｅｓ）、サーバ５は、充電許可コマンドを電子機器２へ発信するとともに（ステップＳ３１４）、認証した電池パックのＩＤを自身が備える記憶装置（外付けでも可）に記録する。サーバ５から発せられた充電許可コマンドは、基地局４を介して電子機器２へ送られる。電子機器２が充電許可コマンドを受信すると（ステップＳ３０９）、マイコン２２は電池パック１の充電を開始する（ステップＳ３１０）。
【００３６】
電池パック１の認証に失敗した場合は（ステップＳ３１３／Ｎｏ）、サーバ５は、電池パック充電不許可コマンドを電子機器２へ発信する（ステップＳ３１５）。サーバ５から発せられた電池パック充電不許可コマンドは、基地局４を介して電子機器２へと送られる。電子機器２が充電不許可コマンドを受信すると（ステップＳ３１６）、マイコン２２は、電池パックの認証に失敗したことを示すエラーメッセージを、回路部２３に含まれる不図示の表示部において表示する（ステップＳ３１７）。
【００３７】
また、電池パック１の認証に成功したものの（ステップＳ３１２／Ｙｅｓ）、それが他の電子機器で使用されている場合には（ステップＳ３１３／Ｎｏ）、電池パック充電不許可コマンドを電子機器２へ発信し（ステップＳ３１５）、上記同様の処理を行う（ステップＳ３１６，Ｓ３１７）。
【００３８】
このようにすれば、前回と同一の電池パックが装着された場合には、照合ステップを短縮することができ、ユーザの利便性がより向上する。
【００３９】
なお、上記各実施形態は本発明の好適な実施の一例であり、本発明はこれらに限定されることはなく様々な変形が可能である。
【図面の簡単な説明】
【００４０】
【図１】本発明を好適に実施した第１の実施形態にかかる電池パック認証システムの構成を示す図である。
【図２】第１の実施形態にかかる電池パック認証システムの動作の流れを示す図である。
【図３】本発明を好適に実施した第２の実施形態にかかる電池パック認証システムの動作の流れを示す図である。
【図４】第２の実施形態にかかる電池パック認証システムの動作の流れを示す図である。
【図５】従来の電池パック認証システムの動作の構成を示す図である。
【図６】従来の電池パック認証システムの動作の流れを示す図である。
【符号の説明】
【００４１】
１    電池パック
２    電子機器
３    電源
４    基地局
５    サーバ
１１    電池
１２    電池保護制御部
１３、２１    スイッチ素子
１４    温度検出部
１５、２２    マイコン
２３    回路部
１６、２４、２６、３１    ＋端子
１７、２７    Ｓ端子
１８、２８    Ｔ端子
１９、２７、２９、３２    −端子
３０    送受信部
１５１、２２２    通信制御部
１５２、２２３    記憶制御部
１５３、２２４    記憶部
２２１    充電制御部
【図１】
2006331815.tif 000003
【図２】
2006331815.tif 000004
【図３】
2006331815.tif 000005
【図４】
2006331815.tif 000006
【図５】
2006331815.tif 000007
【図６】
2006331815.tif 000008